(57)【要約】【課題】本発明は、ヘアドライヤーから吹き出す空気の流速（風圧）を増して毛髪の乾燥を早めることが可能なヘアドライヤーの提供を目的とする。【解決手段】本発明に係るヘアドライヤーＡは、略筒状の本体部Ａ１を有し、当該本体部は、空気吸込口ｂと、吹出口カバー１０を備えた空気吹出口ｃと、本体部内部の空気流路に空気流を生じさせる送風ファンｄと、送風ファンを駆動するモータｅと、空気流路を流動する空気を加熱するヒータとを備えるヘアドライヤーであって、前記空気流路内を流動する空気を空気吹出口に案内するインサート部材２０を設けたことを特徴とする。【選択図】        図４
2020195702.tif 000002
【特許請求の範囲】
【請求項１】
略筒状の本体部を有し、
当該本体部は、空気吸込口と、吹出口カバーを備えた空気吹出口と、本体部内部の空気流路に空気流を生じさせる送風ファンと、送風ファンを駆動するモータと、空気流路を流動する空気を加熱するヒータとを備え、
前記空気流路には該空気流路内を流動する空気を空気吹出口に案内するインサート部材を設けた
ことを特徴とするヘアドライヤー。
【請求項２】
前記インサート部材は空気流路の中心軸方向に前記モータ部を起点として空気吹出口を覆う吹出口カバーにいたる範囲の少なくとも一部に設けられている
ことを特徴とする請求項１に記載のヘアドライヤー。
【請求項３】
前記インサート部材は略円筒形状の中空体であって、該インサート部材は前記モータの保護カバーを兼ねている
ことを特徴とする請求項１又は２に記載のヘアドライヤー。
【請求項４】
前記吹出口カバーには複数のスリットが形成されている
ことを特徴とする請求項１〜３のいずれか１項に記載のヘアドライヤー。
【請求項５】
前記吹出口カバーには複数のスリットは放射状に形成されている
ことを特徴とする請求項１〜４のいずれか１項に記載のヘアドライヤー。
【発明の詳細な説明】
【技術分野】
【０００１】
本発明は、ヘアドライヤーに関し、特に吹き出される空気の流速を増大させたヘアドライヤーに関する。
【背景技術】
【０００２】
現状のヘアドライヤーとしては、毛髪の乾燥時には吹出口に先が細くなったノズルを取付けて、風速を高めたものが使用されている。
【０００３】
また、下記特許文献１に示されるように、空気の流れを整然と流動案内できるようにすることを目的として、筒状の本体ケースの内部に、起風部と通風部とを隣接して設け、起風部には、送風用のファンを配置し、通風部には、ファン駆動用のモーター、空気加熱用のヒーター、およびヒーターを支持するヒーターホルダーを収容し、ヒーターホルダーは、通風部の中心軸線に沿って配置される筒体と、筒体の周面に放射状に係合装着される絶縁板とからなり、筒体と本体ケースとの間に円筒状の送風通路を形成したヘアドライヤーが知られている。
【先行技術文献】
【特許文献】
【０００４】
【特許文献１】特開２００４−３５１０３１号公報
【発明の概要】
【発明が解決しようとする課題】
【０００５】
しかしながら、現状のヘアドライヤーにあっては風速を高めてはいるものの、髪の乾燥に十分なまでの風速を高められず、また、毛髪に均質な風速の風を与えることができず、毛髪を短時間で乾燥させることができないという問題があった。さらに、ヘアドライヤーの吹出口に一定の長さをもつノズルを取り付けるのでヘアドライヤーの全長が長くなるなどコンパクト性が乏しく操作しにくいという問題がある。
【０００６】
また、上記特許文献１に記載のヘアドライヤーは、空気流を安定化させ、整然と流動案内する作用効果はあるとしても、送風通路内を吹出グリルに至るまで全長にわたって筒体が設けられていないので、風速を高める作用効果はなく、そのような作用効果を狙ったものではないため、毛髪を短時間で乾燥させることができないものであった。
【０００７】
そこで、本発明は、ヘアドライヤーから吹き出す空気の流速（風圧）を増して毛髪の乾燥を早めることが可能なヘアドライヤーの提供を目的とする。
風速を増大化して乾燥を速める。
【課題を解決するための手段】
【０００８】
本発明の請求項１に係るヘアドライヤーは、略筒状の本体部を有し、当該本体部は、空気吸込口と、吹出口カバーを備えた空気吹出口と、本体部内部の空気流路に空気流を生じさせる送風ファンと、送風ファンを駆動するモータと、空気流路を流動する空気を加熱するヒータとを備え、前記空気流路内を流動する空気を空気吹出口に案内するインサート部材を設けたことを特徴とする。
【０００９】
本発明の請求項２に係るヘアドライヤーは、前記請求項１のヘアドライヤーの構成に加えて、前記インサート部材は空気流路の中心軸方向に前記モータ部を起点として空気吹出口を覆う吹出口カバーにいたる範囲の少なくとも一部に設けられていることを特徴とする。
【００１０】
本発明の請求項３に係るヘアドライヤーは、前記請求項１又は２のヘアドライヤーの構成に加えて、前記インサート部材は略円筒形状の中空体であって、該インサート部材は前記モータの保護カバーを兼ねていることを特徴とする。
【００１１】
本発明の請求項４に係るヘアドライヤーは、前記請求項１〜３のいずれかのヘアドライヤーの構成に加えて、吹出口カバーには複数のスリットが形成されていることを特徴とする。
【００１２】
本発明の請求項５に係るヘアドライヤーは、前記請求項１〜４のいずれかのヘアドライヤーの構成に加えて、前記吹出口カバーのスリットは放射状に形成されていることを特徴とする。
【発明の効果】
【００１３】
通風路内にインサート部材を設置することで空気の流動面積を減少させ、これにより吹出口から吹き出す空気の流速が増加する。
【００１４】
また、吹出口カバーにスリットを形成した場合は、さらに空気流通面積が減少するので吹出口から吹き出す空気の流速は一層高まる。さらに、吹出口カバーに形成したスリットを放射状に均一な幅で形成した場合は、均一な広がりを持つ高速空気流れが得られるので、毛髪の乾燥時間が短縮する。
【図面の簡単な説明】
【００１５】
【図１】本発明の実施例に係るヘアドライヤーの側面図である。
【図２】本発明の実施例に係るヘアドライヤーの正面図である。
【図３】本発明の実施例に係るヘアドライヤーの分解斜視図である。
【図４】本発明の実施例に係るヘアドライヤーの正面中央縦断面図である。
【図５】本発明の実施例に係るヘアドライヤーにおける吹出口カバーの正面図である。
【発明を実施するための形態】
【００１６】
ヘアドライヤーから吹き出す空気の流速（風圧）を増して毛髪の乾燥を早める目的で、ヘアドライヤー内の空気流路内に、空気流路内を流動する空気の流路面積を減じてこの空気の流速を増速させる目的でインサート部材を設ける。このインサート部材はファンを駆動するモータ部から吹出口の吹出口カバー部に至るまで延伸させた。さらに、吐出口から吐出する温風の流速を増速させる目的でスリットを有する吹出口カバーを設けた。
【００１７】
次に本発明の好適な実施例を添付の図面に基づいて詳細に説明する。
【実施例１】
【００１８】
図１及び図２のＡは、本実施例のヘアドライヤーを示し、当該ヘアドライヤーは、本体部Ａ１とハンドル部Ａ２とから構成され、本体部Ａ１は、その外観上は、主として、本体部Ａ１のケーシングとなる筒状体ａと、空気吸込口ｂと、空気吹出口ｃと、吹出口カバー１０とから構成され、吹出口カバー１０は空気吹出口ｃの空気吹出側に取り付けられている。
【００１９】
また、ヘアドライヤーＡは、図３及び図４に示すように、その内部構造として、主として送風ファンｄと、モータｅと、ヒータ（図示せず）とを備えており、さらに、インサート部材２０を備えている。前記送風ファンｄは、本体部Ａ１の内部の空気流路に空気流を生じさせるものであって、モータホルダーｅ１により支持されるモータｅにより駆動され、空気流路を流動する空気はヒータにより加熱される仕組みになっている。
【００２０】
［インサート部材について］
前記インサート部材２０は、前記モータｅが配置されている部位、すなわちモータホルダーｅ１の基部の近傍を起点として、空気流路の中心軸方向に空気吹出口ｃを覆う吹出口カバー１０にいたる範囲に設けられている。なお、インサート部材２０は、本実施例のようにモータｅが配置されている部位の近傍を起点として吹出口カバー１０にいたる全長に亘って設けてもよいが、モータｅが配置されている部位を起点として吹出口カバー１０にいたるまでの間の適宜の箇所に設けてもよい。また、モータホルダーｅ１の基部とインサート部材２０は一体であってよい。また、モータホルダーｅ１とインサート部材２０とは同径であってもよい。一方、インサート部材２０の空気吹出方向の端部は、吹出口カバー１０に近接して配置されている。インサート部材２０の端部と吹出口カバー１０との隙間から空気流路を流動する空気が漏出しないように、インサート部材２０の端部と吹出口カバー１０とは当接していることが好ましい。
【００２１】
また、前記インサート部材２０は、略円筒形状の中空体であって、該インサート部材２０は前記モータｅの保護カバーを兼ねている。インサート部材２０の材質は、金属製であってもよく、耐熱性がある難燃性の樹脂材料など耐火性及び耐熱性材料からなっている。
【００２２】
そして、前記インサート部材２０は、その周面に、該周面から複数の整流部材２１が放射状に設けられていてもよい。整流部材２１には雲母等の絶縁体が装着されており、当該絶縁体にヒータ線（図示せず）を巻き付けて構成される。インサート部材２０の外表面に整流部材２１の取付け部を形成して整流部材２１が取り付けられている。なお、インサート部材２０に形成された整流部材２１の外縁にはヒータ線を巻き付けるためのヒータ巻き付け部を形成してもよい。
【００２３】
［送風ファンついて］
前記送風ファンｄは、ターボファン、シロッコファンなどでよいが、軸流（プロペラ）ファンが望ましい。軸流ファンは軸方向に空気流が放出されるので、本体部Ａ１の内面とインサート部材２０の外面との間に形成された空気流路に抵抗が少なく、流動させることができる。
【００２４】
［吹出口カバーについて］
前記吹出口カバー１０は、その正面板１２と円周板１３とからなり、円周板１３には空気が吹き出されるスリット１１が形成されている。正面板１２はインサート部材２０の外径とほぼ同一の径を有する部材であり、空気が通過しない部分である。この正面板１２の周りの円周板１３には複数のスリット１１が形成され、このスリット１１の部分から空気が吹き出される。このスリット１１は正面板１２を起点とする放射状のスリットであってものよい。
【００２５】
なお、吹出口カバーは、その正面板１２に一般的な粗い格子状のメッシュが形成されたものであってもよく、空気が通過するものであれば、特に制限されない。
【００２６】
吹出口カバー１０の放射状のスリット１１について、インサート部材２０は、空気吹出口ｃに装着する吹出口カバー１０の略中央部に当接するが、吹出口カバー１０が当接する部分にはスリット１１が形成されていないようにすることが好ましい。その理由は、中空のインサート部材２０の内部に送風ファンｄで発生した空気が流れ込んで吹出口カバーから吹き出される風の風速が低下しないようにするためである。このことで、送風ファンｄで発生した空気流は、矢符ｆで示すように、全てインサート部材２０外側の整流部材２１間を流動し、速度が増した空気流を効果的に毛髪に吹き付けることができる。
【００２７】
放射状のスリット１１は、本実施例においては略Ｖ字型の複数の開口からなっているが、必ずしもＶ字型の開口でなくてもよく、格子状であっても他の幾何学的な形状であってもよく、要するに吹出口カバー１０から吹き出される空気の流路面積を減ずることができればよい。
【００２８】
もちろん、本実施例におけるヘアドライヤーＡは、その空気吹出口ｃに、一般的に使用されているノズルを取り付けて使用してもよい。
【００２９】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００３０】
Ａ・・・ヘアドライヤー
Ａ１・・ヘアドライヤーの本体部
Ａ２・・ハンドル部
１０・・吹出口カバー
１１・・スリット
１２・・正面板
１３・・円周板
２０・・インサート部材
２１・・整流部材
ａ・・・筒状体
ｂ・・・空気吸込口
ｃ・・・空気吹出口
ｄ・・・送風ファン
ｅ・・・モータ
ｅ１・・モータホルダー
ｆ・・・風のながれ
【図１】
2020195702.tif 000003
【図２】
2020195702.tif 000004
【図３】
2020195702.tif 000005
【図４】
2020195702.tif 000006
【図５】
2020195702.tif 000007